(57)【特許請求の範囲】
【請求項１】
商品に添付する用紙に種々の商品情報をバーコードによって印刷するプリンタであって、商品ごとの種々の商品情報を各商品に対応させて記憶した記憶手段と、バーコード化すべき商品情報の種類とその並びを設定する設定手段と、商品を指定する指定手段と、上記設定手段で設定された商品情報の種類とその並びに基いて、指定された商品のバーコード化すべき商品情報を上記記憶手段から読み出し、それを設定された並びでバーコードに変換する変換手段と、変換されたバーコードを出力させる印字制御手段とを備えるとともに、任意に設定されるバーコード体系に対して商品指定を行うことにより自動的にバーコード印字が行えることを特徴とするプリンタ。
【発明の詳細な説明】
【０００１】
【発明の属する技術分野】
この発明は、商品に添付する用紙に種々の商品情報をバーコードによって印刷するプリンタに関し、詳しくはバーコードを自動的に作成することができるようにしたプリンタに関する。
【０００２】
【従来の技術】
近年、流通業の販売時点・情報管理（ＰＯＳ）のシステムや企業間の受発注システムを円滑にするために、バーコードを付した商品が普及している。バーコードは商品の製造年月日や内容量などの商品情報を白色と黒色の２進コードバーの配列によって表示するものである。各店舗などにおいて、バーコードの配列、すなわちその反射の濃度（明暗）差をセンサが読み取ることにより、商品情報を認識することができる。
【０００３】
バーコードは、ＪＡＮ（Japanese  Article  Number）コードなどに基づいて、共通のバーコード体系で作成されるほか、ある流通分野だけで独自に作成されることもある。ＪＡＮコードに基づくバーコードは13桁で構成され、左ガードバーと右ガードバーとの間に国コード、商品メーカーコード、商品アイテムコード及びチェックデジットが２進コードバーによって配列されている。
【０００４】
これとは別に独自にバーコードを設定するときは、製造年月日、呼出コード、製造者コード、目標個数、単重量、個数、安全係数、風袋、ロケーション、品番（上位）、品番（下位）、ロット、サブコード、個数や重量などの小計、その他の商品情報の中から適宜のものが任意の桁数で入力される。
【０００５】
【発明が解決しようとする課題】
ところが、従来では、こうした商品情報の入力を手作業で行っており、しかも、商品が変わるとバーコードの商品情報の内容も変わるので、商品ごとにコードを入力しなければならない煩わしさがあった。そのため、バーコードの作成に手間がかかり、効率が悪いだけでなく、誤って作成されることもある。
【０００６】
そこで、この発明は商品を指定するだけで、標準的なバーコード体系のみならず、独自に設定したバーコードを容易に作成でき、印字することができるプリンタを提供することを目的とする。
【０００７】
【課題を解決するための手段】
上記の課題を解決するために、本願発明のプリンタは、商品に添付する用紙に種々の商品情報をバーコードによって印刷するプリンタであって、商品ごとの種々の商品情報を各商品に対応させて記憶した記憶手段と、バーコード化すべき商品情報の種類とその並びを設定する設定手段と、商品を指定する指定手段と、上記設定手段で設定された商品情報の種類とその並びに基いて、指定された商品のバーコード化すべき商品情報を上記記憶手段から読み出し、それを設定された並びでバーコードに変換する変換手段と、変換されたバーコードを出力させる印字制御手段とを備えるとともに、任意に設定されるバーコード体系に対して商品指定を行うことにより自動的にバーコード印字が行えることを特徴としている。
【０００８】
上記のプリンタによれば、指定手段を操作して商品の呼出しコードを入力すると、記憶手段から当該商品に対応する商品情報が読み出され、同時に印字制御手段にも転送されて、印字すべき情報がセットされる。一方、変換手段は読み出された当該商品のバーコードタイプからバーコードを構成する商品情報の種類とその並びを判読し、それに基づいて当該商品のバーコード情報を記憶手段から読み出し、その並びでバーコードに変換し、印字制御手段に出力され、転送されたバーコード情報とともに、当該商品の印字情報が用紙に印刷される。
【０００９】
【発明の実施の形態】
この発明の実施の形態を、プリンタ付きの計数秤を例にとって図１から図９を参照しながら説明する。
【００１０】
図１において、計量秤は、ロードセル出力を重量に変換して出力する計量手段１０、ラベルプリンタ１１、タッチスクリーンのような設定手段（以下、「タッチスクリーン」という）１２及びストロークキーのような指定手段（以下、「ストロークキー」という）１３が、図示しないインターフェイスを介してマイクロコンピュータ１に接続されている。マイクロコンピュータ１は演算手段１５、記憶手段１６及び変換手段１７から構成される。
【００１１】
前記計量手段１０は、図２の計量皿１４に載荷された商品の重量をデジタル信号に変換して出力する。またマイクロコンピュータ１の演算手段１５は、計量手段１０からの商品重量と、記憶手段１６に記憶された当該商品の単体重量（単重）とに基づいて、載荷された商品の個数を算出する。
【００１２】
前記ラベルプリンタ１１は、計数された商品数量や品名などの商品情報を図２のラベルのような用紙（以下、「ラベル」という）Ｌに印字して発行するもので、バーコード印字が指定されているときは、変換手段１７から出力されるバーコード情報に基づいて、印字制御手段１８がラベルＬにバーコードを印字する。
【００１３】
タッチスクリーン１２は、例えば液晶表示器に種々の情報を表示するとともに、表示画面の一部を指で触れることによって種々のバーコード情報が設定できるようになっている。ストロークキー１３は、テンキーの他、呼び出しキー、風袋キーなどの秤特有のファンクションキーを備えている。
【００１４】
図３は、記憶手段１６のメモリの構造を示したもので、商品ごとに種々の情報（例えば、呼出しコード、品名、ロット番号、品番、単重、目標個数、バーコードタイプなど）が記憶され、呼出しコードの入力によって商品が指定されると、当該商品に対応する商品情報が適宜に読み出されてタッチスクリーン１２やラベルプリンタ１１に出力されるようになっている。
【００１５】
図４〜図８は、バーコードを設定する際の操作画面を表わしたもので、タッチスクリーン１２を操作してバーコードの設定モードに切り替えると、まず図４の表示画面が現れ、この画面と図５の表示画面とを操作することによって種々のバーコード情報が設定できるようになっている。
【００１６】
つぎに、そのバーコード情報の設定操作について説明する。
【００１７】
まず、この実施の形態においては、10種類のバーコードタイプが設定できるようになっており、「バーコード」キー２０を押すと、押すたびにバーコードタイプが１番、２番、３番と順次繰り下がって選択されるようになっており、図４の表示画面では、１番が選択された状態を示している。
【００１８】
また図４の表示画面において、符号２１で表わしたNo.１、２は、バーコードの上位桁から下位桁に至る商品情報の順位を表わし、No.１に設定された情報は、最上位に、またNo.２に設定された情報は、次位に位置するように設定される。
【００１９】
この表示画面において、No.１のデータエリアにタッチすると、そこに設定することのできる商品情報の種類とそれぞれの桁数とが表示される（図５参照）。
【００２０】
図５において、例えば、製造日のエリアをタッチすると、最上位の商品情報として「製造日」を設定することができるし、また呼出No.のエリアをタッチすると、最上位として「呼出No.」を設定することができる。
【００２１】
なお、設定することのできる商品情報の種類は、図５の例示以外にも多数あり、これらは図５のアップダウンキー２２を操作すれば、スクロールされて表示することができるようになっている。
【００２２】
こうして最上位の設定が終了すると、表示画面は、図６の表示画面に戻って最上位に「製造日」が設定されたことを表示する。このとき製造日の表示桁は、まだ未設定の状態なので、桁数は０として表示される。そこで、つぎに、テンキーを操作して製造日を表示する桁数を適宜に設定すると（例えば、桁数を変えることにより、日、月日、あるいは年月日が設定できる）その桁数が表示される。
【００２３】
こうした操作を順次下位桁に亘って繰り返すことにより図８に示すように、最上位桁から順に８桁の「製造日」、２桁の「製造者No.」、６桁の「目標数」を設定することができる。
【００２４】
また、別な商品情報の配列でバーコードを構成するときは、バーコードタイプを変更したうえで、前述と同様にして最上位桁から順次商品情報を設定していくことができる。図９は、バーコードタイプを「２」として設定した一例を示す。
【００２５】
つぎにバーコードを印字するときの操作とコンピュータ１の作用とを説明する。
【００２６】
まずテンキー１３を操作して商品の呼出コードを入力する。すると、記憶手段１６から当該商品に対応する商品情報が読み出されてタッチスクリーン１２に表示され、同時にラベルプリンタ１１にも転送されて、印字すべき情報がセットされる。
【００２７】
一方、マイクロコンピュータ１の変換手段１７は、読み出された当該商品のバーコードタイプからバーコードを構成する商品情報の種類、例えば「製造日」「製造者No.」「目標数」とその並び（順位）を判読し、それに基づいて当該商品のバーコード情報、前述の例では「製造日」「製造者No.」「目標数」を記憶手段１６から読み出してその並びでバーコードに変換し、これをラベルプリンタ１１の印字制御手段１８に出力する。印字制御手段１８は、コンピュータ１からの印字司令を待って、転送されたバーコード情報とともに、当該商品の印字情報をラベルに印字する。
【００２８】
以上は、標準的なバーコード体系を無視して自由にバーコードを構成する例であったが、標準的なバーコード体系を崩さずに、商品情報の種類とその並びだけを自由に設定する場合にも適用できることは勿論である。
【００２９】
また、本発明は、プリンタ付の計数秤だけではなく、プリンタ付の電子料金秤やプリンタ単体にも適用できるものである。勿論、用途が変われば、バーコード化すべき商品情報の種類も変わらざるを得ないが、そうした種々の商品情報も本発明に包含されるものである。
【００３０】
【発明の効果】
この発明のプリンタによれば、指定手段を操作して商品の呼出しコードを入力すると、記憶手段から当該商品に対応する商品情報が読み出され、同時に印字制御手段にも転送されて、印字すべき情報がセットされる。一方、変換手段は読み出された当該商品のバーコードタイプからバーコードを構成する商品情報の種類とその並びを判読し、それに基いて当該商品のバーコード情報を記憶手段から読み出し、その並びでバーコードに変換し、印字制御手段に出力され、転送されたバーコード情報とともに、当該商品の印字情報が用紙に印刷されるので、任意に作成したバーコードであっても自動的に作成でき、短時間で正確にバーコードを印刷することができる。
【図面の簡単な説明】
【図１】この発明に係るプリンタの概略構成図である。
【図２】この発明に係るプリンタの概略斜視図である。
【図３】この発明に係るプリンタを構成する記憶手段のメモリの構造を示す図である。
【図４】この発明に係るプリンタによってバーコードを設定する際の操作画面を表わす図である。
【図５】この発明に係るプリンタによってバーコードを設定する際の操作画面を表わす図である。
【図６】この発明に係るプリンタによってバーコードを設定する際の操作画面を表わす図である。
【図７】この発明に係るプリンタによってバーコードを設定する際の操作画面を表わす図である。
【図８】この発明に係るプリンタによってバーコードを設定する際の操作画面を表わす図である。
【図９】この発明に係るプリンタによってバーコードタイプを「２」として設定した一例を示す図である。
【符号の説明】
１２  設定手段
１３  指定手段
１６  記憶手段
１７  変換手段
１８  印字制御手段
L  用紙（ラベル）
【図１】
0004047952.tif 000002
【図２】
0004047952.tif 000003
【図３】
0004047952.tif 000004
【図４】
0004047952.tif 000005
【図５】
0004047952.tif 000006
【図６】
0004047952.tif 000007
【図７】
0004047952.tif 000008
【図８】
0004047952.tif 000009
【図９】
0004047952.tif 000010